(57)【要約】  メンテナンスウィンドウにおける密封インターフェースの締切装置を開示する。該装置は、メンテナンスウィンドウにおけるカバープレートとケースとをヒンジ連結するための少なくとも一つのヒンジ機構と、カバープレートに移動可能に装着され、前記カバープレートと前記ケースとを回転係合して締切る少なくとも一つのスパナアセンブリと、を含む。また、前記カバープレートと前記ケースとに固定接合される密封部材をさらに含んでもよい。メンテナンスウィンドウにおける密封インターフェースの締切装置は、ヒンジ及び係合方式によりメンテナンスウィンドウにおける密封インターフェースを締切り、操作が簡単かつ素早く、信頼性が高くて占有スペースが小さく、通信機器及び他の機器技術分野に広く適用可能である。
2016531430.tif 000002
【特許請求の範囲】
【請求項１】
メンテナンスウィンドウにおけるカバープレート（１）とケース（２）とをヒンジ連結するための少なくとも一つのヒンジ機構（４）と、
カバープレート（１）に移動可能に装着され、前記カバープレート（１）と前記ケース（２）とを回転係合して締切る少なくとも一つのスパナアセンブリと、を含むメンテナンスウィンドウにおける密封インターフェースの締切装置。
【請求項２】
前記カバープレート（１）と前記ケース（２）と固定接合される密封部材（５）をさらに含む、
請求項１に記載のメンテナンスウィンドウにおける密封インターフェースの締切装置。
【請求項３】
前記スパナアセンブリは、
前記カバープレート（１）の前壁に固定装着され、一端を外に露出させる少なくとも一つの第１のピン（６１）と、
前記ケース（２）の前壁に固定装着され、一端を外に露出させる少なくとも一つの第２のピン（６２）と、
第１のピン（６１）を介して前記カバープレート（１）に移動可能に連結され、前記第１のピン（６１）の周りに回転移動可能なスパナ（３）と、を含む、
請求項１又は２に記載のメンテナンスウィンドウにおける密封インターフェースの締切装置。
【請求項４】
前記スパナ（３）は、
前記第１のピン（６１）に当接するピン穴（３３）が設けられた、係合部（３１）とストッパロック部（３２）とを有するスパナ本体を含む、
請求項３に記載のメンテナンスウィンドウにおける密封インターフェースの締切装置。
【請求項５】
前記係合部（３１）は、
前記第２のピン（６２）を係合装着するための係合溝（３１１）と、
係合溝（３１１）の辺の端に設けられ、前記第２のピン（６２）の脱出を防止するための係合凸起（３１２）と、を含む、
請求項４に記載のメンテナンスウィンドウにおける密封インターフェースの締切装置。
【請求項６】
前記ストッパロック部（３２）にはねじ貫通孔（３４）が設けられ、
前記スパナ（３）は、前記カバープレート（１）と前記ケース（２）とを締切った後、前記ねじ貫通孔（３４）におけるねじ（７）を通り抜けて前記カバープレート（１）に固定される、
請求項４に記載のメンテナンスウィンドウにおける密封インターフェースの締切装置。
【請求項７】
前記ヒンジ機構（４）は、
ヒンジ連結部（４１１）を有するヒンジ部材（４１）と、
ヒンジ部材（４１）に回転連結されるピン軸（４２）と、を含み、
前記ヒンジ連結部（４１１）にストッパ溝（４１２）が設けられ、前記ピン軸（４２）には、前記ストッパ溝（４１２）と嵌り合うストッパ台（４２１）が設けられており、前記カバープレート（１）は、ストッパ台（４２１）とストッパ溝（４１２）との位置が係合されることにより、開けられた後前記ケース（２）に対して規制される、
請求項１又は２に記載のメンテナンスウィンドウにおける密封インターフェースの締切装置。
【請求項８】
前記ヒンジ部材（４１）と前記ピン軸（４２）とのそれぞれにはさらに、締結孔（４３）が設けられる、
請求項７に記載のメンテナンスウィンドウにおける密封インターフェースの締切装置。
【請求項９】
前記スパナアセンブリの数は、２つである、
請求項１又は２に記載のメンテナンスウィンドウにおける密封インターフェースの締切装置。
【請求項１０】
前記ヒンジ機構（４）の数は、２つである、
請求項１又は２に記載のメンテナンスウィンドウにおける密封インターフェースの締切装置。
【発明の詳細な説明】
【技術分野】
【０００１】
本発明は、機器実装技術分野に関し、特に、完成機に実装可能なメンテナンスウィンドウにおける密封インターフェースの締切装置に関するものである。
【背景技術】
【０００２】
通信技術分野において、現在、機器のコンパクト化、機器における機能手段の素早い実装やシンプルな操作、及び機器の高信頼性は、だんだん各機器メーカーが競争力を高めるための大切な手段となっている。メンテナンスウィンドウが機器における重要な構造的機能手段として、上述した機器の需用を実現するには重要な役割を果たし、特にメンテナンスウィンドウにおける密封インターフェースの締切装置といえば、従来のものとして、ヒンジ、ねじによる締切りで実現されるものがあれば、係止装置により密封インターフェースを直接締切るものもあるが、このような方式は、例えば、操作に時間や工夫が多くかかり、操作結果への制御可能性が低いため信頼性が低く、さらに、操作が過大なスペースを占有する等、いろんな面で不足している。
【発明の概要】
【発明が解決しようとする課題】
【０００３】
上記関連技術における不足を解消するために、本発明は、ヒンジ及び係合方式によりメンテナンスウィンドウにおける密封インターフェースを締切り、操作が簡単かつ素早く、信頼性が高くて占有スペースが小さく、通信機器及び他の機器技術分野に広く適用可能なメンテナンスウィンドウにおける密封インターフェースの締切装置を提供することをその目的とする。
【課題を解決するための手段】
【０００４】
本発明の上記目的を実現するために、本発明に係わるメンテナンスウィンドウにおける密封インターフェースの締切装置は、メンテナンスウィンドウにおけるカバープレートとケースとをヒンジ連結するための少なくとも一つのヒンジ機構と、カバープレートに移動可能に装着され、前記カバープレートと前記ケースとを回転係合して締切る少なくとも一つのスパナアセンブリと、を含む。
【０００５】
本発明に係わるメンテナンスウィンドウにおける密封インターフェースの締切装置は、ケースとカバープレートとの間のインターフェースを密封するように前記カバープレートと前記ケースとに固定接合される密封部材をさらに含むことが好ましい。
【０００６】
前記スパナアセンブリは、前記カバープレートの前壁に固定装着され、一端を外に露出させる少なくとも一つの第１のピンと、前記ケースの前壁に固定装着され、一端を外に露出させる少なくとも一つの第２のピンと、第１のピンを介して前記カバープレートに移動可能に連結され、前記第１のピンの周りに回転移動可能なスパナと、を含むことが好ましく、スパナは、第１のピンによりカバープレートに固定され、第１のピンの周りに回転可能であるとともに第２のピンに係合されることにより、カバープレートとケースとを締切ることが実現される。
【０００７】
前記スパナは、前記第１のピンに当接するピン穴が設けられた、係合部とストッパロック部とを有するスパナ本体を含むことが好ましい。
【０００８】
前記係合部は、前記第２のピンを係合装着するための係合溝と、係合溝の辺の端に設けられ、前記第２のピンの脱出を防止するための係合凸起と、を備えることが好ましい。
【０００９】
前記ストッパロック部にはねじ貫通孔が設けられており、前記スパナは、前記カバープレートと前記ケースとを締切った後、前記ねじ貫通孔におけるねじを通り抜けて前記カバープレートに固定されることが好ましい。
【００１０】
前記ヒンジ機構は、ヒンジ連結部を有するヒンジ部材と、ヒンジ部材に回転連結されるピン軸と、を含み、前記ヒンジ連結部にストッパ溝が設けられ、前記ピン軸には、前記ストッパ溝と嵌り合うストッパ台が設けられており、前記カバープレートが、ストッパ台とストッパ溝との位置が係合されることにより、開けられた後前記ケースに対して規制されることが好ましい。
【００１１】
前記ヒンジ部材と前記ピン軸とのそれぞれにさらに、締結孔が設けられることが好ましく、当該締結孔を介してヒンジ機構とケース及びカバープレートとを連結することで、締切装置の当該側における締切りを実現することができる。
【００１２】
前記スパナアセンブリの数は、２つであることが好ましい。
【００１３】
前記ヒンジ機構の数は、２つであることが好ましい。
【発明の効果】
【００１４】
関連技術に比べ、本発明は以下のようなメリットを有する。
１）本発明に係わるメンテナンスウィンドウにおける密封インターフェースの締切装置は、ヒンジ機構とスパナアセンブリとを結合することにより、メンテナンスウィンドウにおける密封インターフェースを締切ることができ、その操作及びメンテナンスが簡単かつ素早いものであり、信頼性高く締切ることができる。
２）本発明は、スパナ本体に設けられたピン穴によりスパナとカバープレートとを移動可能に連結することができるとともに、スパナが第１のピンの周りに回転移動することができ、スパナ本体の係合部に設けられた係合溝及び係合凸起により、それらに嵌り合って係合される第２のピンを係止することができ、これにより、カバープレートとケースとを締切ることが実現され、また、スパナ本体に設けられたストッパロック部により、スパナアセンブリは締切り後スパナからの過圧力をかけられず、締切装置の信頼性が向上される。
３）本発明のヒンジ機構におけるヒンジ部材とピン軸とが隙間嵌めで嵌められた後、ピン軸がヒンジ部材に対して自由に回転可能であり、カバープレートをケースに対して開閉することが実現され、また、ストッパ台とストッパ溝との位置を係合することにより、カバープレートを開放後ケースに対して一定の角度で規制可能にすることが保証され、また、ストッパ台とストッパ溝とのサイズによって、角度の大きさを調節することができ、そのうえ、ヒンジ機構の数を設定することにより、密封インターフェースを確実に締切ることが保証される。
４）本発明は、ケースとカバープレートとに密封部材が固定されることにより、ケースとカバープレートとの間におけるインターフェースを密封することができる。
５）本発明に係わるメンテナンスウィンドウにおける密封インターフェースの締切装置は、片側操作で締切られることにより、構造が簡単で、安全かつ確実であり、工事・メンテナンス操作しやすく、また、スパナの数を設定することで様々なサイズのメンテナンスウィンドウの密封インターフェースを締切ることが保証され、また、ネジ省略設計により、メンテナンスウィンドウの締切り操作に時間や工夫が多くかかり、信頼性が低いという問題が解決されるとともに、締切装置が占めるスペースを小さくするように密封インターフェースのコンパクト化が実現され、汎用性が向上され、密封インターフェース構造に関する様々な領域の機器に適用可能である。
以下、図面を参照しながら本発明をさらに詳しく説明する。
【図面の簡単な説明】
【００１５】
【図１】本発明の実施例に係わるメンテナンスウィンドウにおける密封インターフェースの締切装置の構造を示す図である。
【図２】図１に示すメンテナンスウィンドウにおける密封インターフェースの締切装置が締切られた状態の正面図である。
【図３】図１に示すメンテナンスウィンドウにおける密封インターフェースの締切装置が開けられている様子の正面図である。
【図４】図１に示すメンテナンスウィンドウにおける密封インターフェースの締切装置の開放状態の正面図である。
【図５】図１に示すメンテナンスウィンドウにおける密封インターフェースの締切装置の背面図である。
【図６】本発明の実施例におけるスパナの構造を示す図である。
【図６ａ】図６に示すスパナの係合部の正面図である。
【図７】本発明の実施例におけるヒンジ機構の構造を示す図である。
【図７ａ】図７に示すピン軸の構造を示す図である。
【図７ｂ】図７に示すヒンジ部材の構造を示す図である。
【図８】本発明の実施例に係わるメンテナンスウィンドウにおける密封インターフェースの締切装置を完成器に実装した様子を示す図である。
【発明を実施するための形態】
【００１６】
図１乃至図５に示すように、本発明の一実施例において、メンテナンスウィンドウにおける密封インターフェースの締切装置は、メンテナンスウィンドウにおけるカバープレート１とケース２とをヒンジ連結するための少なくとも一つのヒンジ機構４と、カバープレート１に移動可能に装着され、カバープレート１とケース２とを回転係合して締切る少なくとも一つのスパナアセンブリと、を含む。
【００１７】
具体的に、本発明の実施例に係わるメンテナンスウィンドウにおける密封インターフェースの締切装置は、さらに、カバープレート１とケース２とに固定接合されるものであって、ケース２とカバープレート１とのそれぞれに固定され、ケース２及びカバープレート１と共に密封インターフェースを形成する密封部材５を含む。
【００１８】
本発明の実施例に係わる締切装置において、スパナアセンブリは、カバープレート１の前壁に固定装着され、一端を外に露出させる少なくとも一つの第１のピン６１と、ケース２の前壁に固定装着され、一端を外に露出させる少なくとも一つの第２のピン６２と、第１のピン６１を介してカバープレート１に移動可能に連結され、第１のピン６１の周りに回転移動可能なスパナ３と、を含む。図６，図６ａに示すように、スパナ３は、係合部３１とストッパロック部３２とを有するスパナ本体を含み、スパナ本体には、第１のピン６１に当接するピン穴３３が設けられ、ピン穴３３と第１のピン６１とを嵌め合うことでスパナ３が回転移動することができ、確実に締切るために、通常、減衰効果を奏するように嵌め合うことが好ましい。係合部３１は、第２のピン６２が内部に係合装着されるための係合溝３１１を備えており、係合溝３１１の辺の端には、締切り時に第２のピン６２が係合溝３１１内から脱出することを防止するための係合凸起３１２が設けられ、係合凸起３１２は、係合部３１と第２のピン６２とが締切られることと相まって、ピーク箇所と締切箇所とが、締切り及び脱出防止のために、一般、高度差ｃを予め保つ必要がある。係合凸起３１２において、組み立てた後の公差を解消し、スパナ３により適当に締切る（図６ａ）ことを確保するように、スパナ３により締切った後、第２のピン６２の中心線の理論的位置の前後にサイズがａとｂの距離が予め置かれる必要がある。また、ストッパロック部３２にねじ貫通孔３４が設けられ、スパナ３によりカバープレート１とケース２とを締切った後、ねじ７をねじ貫通孔３４に取付けることにより、スパナ３とカバープレート１とを固定し、このようにして、締切装置が閉鎖操作時にスパナ３からの過圧力をかけられることなく、ねじ７を取付けることが保証され、締切装置の信頼性がさらに向上される。
【００１９】
図７乃至図７ｂに示すように、ヒンジ機構４は、ヒンジ連結部４１１を有するヒンジ部材４１と、ヒンジ部材４１に回転連結されるピン軸４２と、を含み、ヒンジ部材４１とピン軸４２とを隙間嵌めで嵌め合った後、互いに対して自由に回転させることができる。ヒンジ連結部４１１にストッパ溝４１２が設けられ、ピン軸４２には、ストッパ溝４１２と嵌り合うストッパ台４２１が設けられており、カバープレート１は、ストッパ台４２１とストッパ溝４１２との位置が係合されることにより、開けられた後ケース２に対して規制され、即ち、ストッパ台４２１とストッパ溝４１２とを異なるサイズにて係合することにより、締切装置を開ける際の角度を調節することができ、カバープレートをケースに対して一定の角度で規制可能にすることが保証され、確実かつ見栄え良く規制することが実現される。ヒンジ部材４１とピン軸４２とのそれぞれにさらに、締結孔４３が設けられ、締結孔４３によりヒンジ機構４とケース２及びカバープレート１とを連結固定することで、当該側における締切りを完成させる。異なるサイズのメンテナンスウィンドウの密封インターフェースに適するために、ヒンジ機構４の数を設定することで密封インターフェースの確実な締切りを確保することができ、また、メンテナンスウィンドウのサイズに応じてピン軸４２を複数ピース部品構造又は一体化部品構造とすることができる。
【００２０】
本実施例において、スパナアセンブリ及びヒンジ機構４の数は、それぞれ２つであることが好ましく、もちろん、スパナアセンブリ及びヒンジ機構４の数を設定することで様々なサイズのメンテナンスウィンドウにおける密封インターフェースの締切りを確保することができるため、拡張性が強い。
【００２１】
図２乃至図４には、本発明の実施例に係わるメンテナンスウィンドウにおける密封インターフェースの締切装置の開閉締切りを示している。締切り状態では、スパナ３と第のピン６２とが嵌り合うとともに、ねじ７とカバープレート１とが密接に連結されている（図２）。締切装置を開けるに当たり、まず、ねじ７とカバープレート１との連結をひねりにより解除し、スパナ３をねじ回し、一定の角度ｘを回転させてから、密封部材５から作用を受けて、スパナ３と第２のピン６２との係合が外され、開放動作を完成させる（図３，図４）。逆にして、締切装置を閉める操作が完成される。開放操作にしても閉鎖操作にしても、操作の要求を満たすように、カバープレート１、スパナ３及び他の連結部材がヒンジ機構４の周りに自由に回転して開放角度を調節する。
【００２２】
図８は、本発明の実施例に係わるメンテナンスウィンドウにおける密封インターフェースの締切装置の完成機への実装を示す図であり、Ａがメンテナンスウィンドウである。
【００２３】
本実施形態の構成要件から理解しやすいように、本発明の実施例に係わるメンテナンスウィンドウにおける密封インターフェースの締切装置は、形状及び構造的特徴において、関連技術に対して自明なものではなく、実質的な特徴を有するとともに、以下のような有利な効果を奏する。即ち、ヒンジ機構４とスパナアセンブリとを結合することにより、メンテナンスウィンドウにおける密封インターフェースを締切ることができ、その操作及びメンテナンスが簡単かつ素早いものであり、信頼性高く締切ることができる。また、スパナ本体に設けられたピン穴３３により、スパナ３とカバープレート１とを移動可能に連結することが実現されるとともに、スパナ３が第１のピン６１の周りに回転移動することができ、スパナ本体の係合部３１に設けられた係合溝３１１及び係合凸起３１２により、それらに嵌り合って係合される第２のピン６２を係止することができ、これにより、カバープレート１とケース２とを締切ることが実現される。また、スパナ本体に設けられたストッパロック部３２により、スパナアセンブリが締切り後スパナ３からの過圧力をかけられず、締切装置の信頼性が向上される。また、ヒンジ機構４におけるヒンジ部材４１とピン軸４２とが隙間嵌めで嵌められた後、ピン軸４２がヒンジ部材４１に対して自由に回転可能であり、カバープレート１をケース２に対して開閉することが実現される。また、ストッパ台４２１とストッパ溝４１２との位置を係合することにより、カバープレート１は、開けられた後ケース２に対して一定の角度で規制可能にすることが保証され、また、ストッパ台４２１とストッパ溝４１２とのサイズによって、角度の大きさを調節することができ、そのうえ、ヒンジ機構４の数を設定することにより、密封インターフェースを確実に締切ることが保証される。また、ケース２とカバープレート１とに密封部材５が固定されることにより、ケース２とカバープレート１との間におけるインターフェースを密封することができる。さらに、本発明に係わるメンテナンスウィンドウにおける密封インターフェースの締切装置は、片側操作で締切られることにより、構造が簡単で、安全かつ確実であり、工事・メンテナンス操作しやすく、また、スパナ３の数を設定することにより様々なサイズのメンテナンスウィンドウの密封インターフェースを締切ることが保証され、ネジ省略設計により、メンテナンスウィンドウの締切り操作に多くの時間や工夫が多くかかり、信頼性が低いという問題が解決されるとともに、締切装置が占めるスペースを小さくするように密封インターフェースのコンパクト化が実現され、汎用性が向上され、密封インターフェース構造に関する様々な領域の機器に適用可能である。
【００２４】
なお、本発明における「第１」、「第２」といった用語は、説明のためにしか用いられず、本発明の構成要件をより明瞭なものにするためのものであり、本発明の構成要件を限定するものであるとは理解すべきではない。また、以上は本発明を詳しく説明したが、これには限定されず、当業者であればその精神本質や必須な特徴を逸脱しない他の構成要件で実現することができる。したがって、本発明に記載の内容や原理に基づく様々な修正はすべて本発明の保護範囲内に含まれるべきである。
【符号の説明】
【００２５】
１        カバープレート
２        ケース
３        スパナ
３１      係合部
３１１    係合溝
３１２    係合凸起
３２      ストッパロック部
３３      ピン穴
３４      ねじ貫通孔
４        ヒンジ機構
４１      ヒンジ部材
４１１    ヒンジ連結部
４１２    ストッパ溝
４２      ピン軸
４２１    ストッパ台
４３      締結孔
５        密封部材
６１      第１のピン
６２      第２のピン
７        ねじ
Ａ        メンテナンスウィンドウ
【図１】
2016531430.tif 000003
【図２】
2016531430.tif 000004
【図３】
2016531430.tif 000005
【図４】
2016531430.tif 000006
【図５】
2016531430.tif 000007
【図６】
2016531430.tif 000008
【図６ａ】
2016531430.tif 000009
【図７】
2016531430.tif 000010
【図７ａ】
2016531430.tif 000011
【図７ｂ】
2016531430.tif 000012
【図８】
2016531430.tif 000013
【国際調査報告】
2016531430.tif 000014
2016531430.tif 000015
2016531430.tif 000016
2016531430.tif 000017